(57)【特許請求の範囲】
【請求項１】
前面を出入口として上下左右壁及び後壁を有する箱型のルーム本体と、このルーム本体の支持フレームとを備えたユニットルームにおいて、
前記支持フレームが、ルーム本体の前後両端の矩形周枠部に沿って、その矩形周枠部を貫通して配置する前後の矩形フレーム部と、これら前後の矩形フレーム部の角部間に架設する前後方向の４本の前後連結ロッドとから構成され、
各前後連結ロッドが、ルーム本体の胴部の四隅に沿って、当該胴部の一部を貫通して配置することを特徴とするユニットルーム。
【請求項２】
前記矩形フレーム部は、その四つ角部に配置する連結駒と、各々両端部を該連結駒に螺合する上下左右のロッド部材とで構成され、これらロッド部材の両端ねじ部が逆ねじをなす請求項１記載のユニットルーム。
【請求項３】
前記の各連結駒が前後方向に貫通するロッド挿嵌部を有すると共に、各前後連結ロッドが両端にねじ部を備え、該前後連結ロッドの端部をロッド挿嵌部に挿嵌させた連結駒と、該連結駒から突出した前後連結ロッドの前記ねじ部に螺着するねじ部材との間で、ルーム本体の矩形周枠部を挟持するように構成されてなる請求項２記載のユニットルーム。
【請求項４】
ルーム本体は、前後両端の矩形周枠部と胴部とが別体に構成され、これら矩形周枠部と胴部とが支持フレームの前後連結ロッドを介して連結一体化されてなる請求項１〜３のいずれかに記載のユニットルーム。
【請求項５】
ルーム本体の前後両端の矩形周枠部が各々矩形の１角部を含む上下左右のＬ字枠材に分割構成され、これらＬ字枠材が支持フレームの前記矩形フレーム部を介して連結一体化されてなる請求項４記載のユニットルーム。
【請求項６】
各Ｌ字枠材の角部に前記矩形フレームの角部の連結駒が嵌着されてなる請求項５記載のユニットルーム。
【請求項７】
ルーム本体の前後方向中間部において、両端部を左右の前後連結ロッドに保持されて、該ルーム本体の胴部の下面側を支承する胴部補強枠を有してなる請求項１〜６のいずれかに記載のユニットルーム
【請求項８】
請求項１〜７のいずれかに記載のユニットルームが上下二段に設置され、両ユニットルームの支持フレーム同士が相互のルーム本体同士を離間した状態で上下に連結されてなるユニットルームの二段設置構造。
【請求項９】
上下のユニットルームの支持フレーム同士が前後左右の縦ロッド位置で上下に連結されると共に、下側ユニットルームの支持フレームが同じく前後左右の縦ロッド位置で接地アンカー部に連結されてなる請求項８記載のユニットルームの二段設置構造。
【請求項１０】
上下のユニットルームの支持フレーム同士の連結部と、下部ユニットルームの支持フレームの接地アンカー部に対する連結部とに、それぞれ高さ調整手段が介在されてなる請求項８又は９に記載のユニットルームの二段設置構造。
【請求項１１】
上下一方又は両方のユニットルームのルーム本体は、その前端の矩形周枠部の少なくとも一辺部の外面側に凹陥部を有し、この凹陥部に露呈した矩形フレーム部の一部に、外付けの付属部材が取り付けられてなる請求項８〜１０のいずれかに記載のユニットルームの二段設置構造。
【発明の詳細な説明】
【技術分野】
【０００１】  この発明は、簡易宿泊用のカプセルベッドを始めとして、就寝、休憩、災害時の一次避難、特殊環境での居住等に利用する個室空間を構成するユニットルームと、このユニットルームを上下二段に設置するための二段設置構造に関する。
【背景技術】
【０００２】  一般的に、簡易宿泊用のカプセルベッドは、一面に出入口の開口部を設けた横長の略直方体形状をなすＦＲＰ（繊維強化プラスチック）製のカプセル本体と、このカプセル本体を据え付けるためのアングル材やチャンネル材等の型鋼材からなる支持フレームとで構成されている。そのカプセル本体としては、出入口周囲が一体成形物からなる矩形の開口周枠にて形成され、胴部が幅方向中間部で二分した形の左右２枠材、もしくは各々半割した天井部又は床部を含む左右側枠と床枠又は天井枠の３枠材に分割構成されたものが多用されている。【０００３】  そして、カプセルベッドの組み立てに際し、予め支持フレームの型鋼材を直方体の各辺をなすように縦横及び前後に組み付けておき、その内側に前記の各枠材を所定順序で搬入してカプセル本体を組み立てる方法（特許文献１）、先に組み立てたカプセル本体の胴部の外側に直方体の各辺をなす形で支持フレームの型鋼材を組み付け、更に該支持フレームに出入口フロントマスク（開口周枠）及び外装パネルを取り付ける方法（特許文献２）、二段設置構造において四隅の支柱と上下２段の根太組よりなる支持フレームを構築しておき、各根太組上に組立済みのカプセル本体を据え付ける方法（特許文献３）等が採用されている。
【特許文献１】  実公平１−１３７１２号公報
【特許文献３】  実公平２−１５９５６号公報
【特許文献２】  実公平１−３９３２９号公報
【発明の開示】
【発明が解決しようとする課題】
【０００４】  しかしながら、従来のカプセルベッドでは、カプセル本体及び支持フレームの各々の組み立てと、両者を組み付けて一体化する作業に非常に手間がかかり、設置場所への据え付け作業を含めて多大な労力及び時間を費やすという難点があった。【０００５】  この発明は、上述の事情に鑑みて、前記カプセルベッドを始めとして種々の個室空間を構成するユニットルームとして、その組み立てならびに設置場所への据え付けを容易に能率よく短時間で行えると共に、丈夫で耐久性に優れるものを提供することを目的としている。
【課題を解決するための手段】
【０００６】  上記目的を達成するために、請求項１に係る発明は、前面を出入口として上下左右壁及び後壁を有する箱型のルーム本体と、このルーム本体の支持フレームとを備えたユニットルームにおいて、支持フレームが、ルーム本体の前後両端の矩形周枠部に沿って、その矩形周枠部を貫通して配置する前後の矩形フレーム部と、これら前後の矩形フレーム部の角部間に架設する前後方向の４本の前後連結ロッドとから構成され、各前後連結ロッドが、ルーム本体の胴部の四隅に沿って、当該胴部の一部を貫通して配置することを特徴としている。【０００７】  請求項２の発明は、上記請求項１のユニットルームにおいて、矩形フレーム部は、その四つ角部に配置する連結駒と、各々両端部を該連結駒に螺合する上下左右のロッド部材とで構成され、これらロッド部材の両端ねじ部が逆ねじをなす構成としている。【０００８】  請求項３の発明は、上記請求項２のユニットルームにおいて、各連結駒が前後方向に貫通するロッド挿嵌部を有すると共に、各前後連結ロッドが両端にねじ部を備え、該前後連結ロッドの端部をロッド挿嵌部に挿嵌させた連結駒と、該連結駒から突出した前後連結ロッドの前記ねじ部に螺着するねじ部材との間で、ルーム本体の矩形周枠部を挟持するように構成されてなる。【０００９】  請求項４の発明は、上記請求項１〜３のいずれかのユニットルームにおいて、ルーム本体は、前後両端の矩形周枠部と胴部とが別体に構成され、これら矩形周枠部と胴部とが支持フレームの前後連結ロッドを介して連結一体化されてなる構成としている。【００１０】  請求項５の発明は、上記請求項４のユニットルームにおいて、ルーム本体の前後両端の矩形周枠部が各々矩形の１角部を含む上下左右のＬ字枠材に分割構成され、これらＬ字枠材が支持フレームの前記矩形フレーム部を介して連結一体化されてなる構成としている。【００１１】  請求項６の発明は、上記請求項５のユニットルームにおいて、各Ｌ字枠材の角部に前記矩形フレームの角部の連結駒が嵌着されてなるものとしている。【００１２】  請求項７の発明は、上記請求項１〜６のいずれかのユニットルームであって、ルーム本体の前後方向中間部において、両端部を左右の前後連結ロッドに保持されて、該ルーム本体の胴部の下面側を支承する胴部補強枠を有してなるものとしている。【００１３】  請求項８の発明に係るユニットルームの二段設置構造は、上記請求項１〜７のいずれかのユニットルームが上下二段に設置され、両ユニットルームの支持フレーム同士が相互のルーム本体同士を離間した状態で上下に連結されてなる構成としている。【００１４】  請求項９の発明は、上記請求項８のユニットルームの二段設置構造において、上下のユニットルームの支持フレーム同士が前後左右の縦ロッド位置で上下に連結されると共に、下側ユニットルームの支持フレームが同じく前後左右の縦ロッド位置で接地アンカー部に連結されてなるものとしている。【００１５】  請求項１０の発明は、上記請求項８又は９のユニットルームの二段設置構造において、上下のユニットルームの支持フレーム同士の連結部と、下部ユニットルームの支持フレームの接地アンカー部に対する連結部とに、それぞれ高さ調整手段が介在されてなる���のとしている。【００１６】  請求項１１の発明は、上記請求項８〜１０のいずれかのユニットルームの二段設置構造において、上下一方又は両方のユニットルームのルーム本体は、その前端の矩形周枠部の少なくとも一辺部の外面側に凹陥部を有し、この凹陥部に露呈した矩形フレーム部の一部に、外付けの付属部材が取り付けられてなる構成としている。
【発明の効果】
【００１７】  請求項１の発明に係るユニットルームは、支持フレームが、箱型のルーム本体の前後両端の矩形周枠部を貫通して配置する前後の矩形フレーム部と、これら前後の矩形フレーム部の角部間に架設する前後方向の４本の前後連結ロッドとから構成され、各前後連結ロッドがルーム本体の胴部の一部を貫通して配置し、もって該ルーム本体に対して一体化している。従って、このユニットルームにおいては、ルーム本体と支持フレームを別個に組み立てる必要がなく、組み立て操作自体が両者を組み付けてゆくことになるから、当該ユニットルーム全体の組立構築を容易に能率よく短時間で行え、しかも支持フレームがルーム本体にインナーフレームとして一体化しているから、当該ユニットルームをそのまま設置場所に据え付けることができる上、全体が頑丈で耐久性に優れ、運搬等の取扱い性も良好となる。【００１８】  請求項２の発明によれば、支持フレームの矩形フレーム部は、その四つ角部に配置する連結駒と、各々逆ねじの両端ねじ部を有する上下左右のロッド部材とで構成され、各ロッド部材を一方向に捻回操作するだけで、その両端部を両側の連結駒に対して同時に螺合緊締できるから、当該矩形フレーム部を簡単な操作で能率よく形成できる。【００１９】  請求項３の発明によれば、前記矩形フレーム部の四つ角部に配置する各連結駒のロッド挿嵌部に、各前後連結ロッドの端部を挿嵌させ、その連結駒と、該連結駒から突出した前後連結ロッドのねじ部に螺着するねじ部材との間で、ルーム本体の矩形周枠部を挟持することから、前記ねじ部材の螺着操作により、矩形フレーム部に対する前後連結ロッドの連結と、周枠部に対する該矩形フレーム部の一体化が同時になされ、それだけ組み立てを容易に能率よく行える。【００２０】  請求項４の発明によれば、ルーム本体の前後端の矩形周枠部と胴部とを別体であるため、各々が製作容易になってコスト低減に繋がる上、支持フレームの前後連結ロッドを介して連結一体化できるから、その別体化による不利を生じない。【００２１】  請求項５の発明によれば、ルーム本体の前後の矩形周枠部が上下左右のＬ字枠材に分割構成されているから、その製作を小型の成形装置によって容易に低コストで行えると共に、構成部材の搬送や保管に際して嵩を著しく低減できる上、これらＬ字枠材を支持フレームの矩形フレーム部を介して連結一体化できるから、その分割による不利を生じない。【００２２】  請求項６の発明によれば、各Ｌ字枠材の角部に前記矩形フレームの連結駒が嵌着されているから、該矩形フレームの形成に際して各ロッド部材の両端のねじ部を両側の連結駒に螺合するだけで、同時に隣接するＬ字枠材同士を引き付けて連結固定できる。【００２３】  請求項７の発明によれば、ルーム本体の前後方向中間部において、胴部補強枠によって胴部の下面側が支承されるから、該胴部の耐荷重性が向上する。【００２４】  請求項８の発明によれば、上記ユニットルームの上下二段の設置状態で、両ユニットルームの支持フレーム同士が相互のルーム本体同士を離間した状態で上下に連結するから、上位側のユニットルームの重量が下位側の支持フレームで支承され、下位側のルーム本体には上位側からの重量負荷が加わらない。従っ��、ルーム本体は、格別に頑強な構造・材質でなくとも良好な耐久性が得られ、それだけ製作コストを低減できる。【００２５】  請求項９の発明によれば、上記ユニットルームの二段設置構造の前後左右位置において、上下のユニットルームの支持フレーム同士の連結部と、下側ユニットルームの接地アンカー部への連結部とが支柱状に縦一直線に繋がるため、両ユニットルームの重量が直接に設置床部に負荷され、該重量負荷による支持フレームの歪みや撓みが防止され、安定した設置状態が得られる。【００２６】  請求項１０の発明によれば、上記の二段設置構造において、上下のユニットルームの支持フレーム同士の連結部と、下部ユニットルームの支持フレームの接地アンカー部に対する連結部とに、それぞれ高さ調整手段が介在するから、設置床面の傾斜や凹凸等に影響されずに両ユニットルームの床面を水平に設定できると共に、両ユニットルームのルーム本体間の間隔も調整できる。【００２７】  請求項１１の発明によれば、上記の二段設置構造において、上下一方又は両方のルーム本体の前端の矩形周枠部において、その外面側に設けた凹陥部に露呈する矩形フレーム部を利用して、例えば上段のユニットルームに対する登り降り用のサイドステップ、フロントステップ、手摺り等の外付けの付属部材の取り付けが可能であるから、これら付属部材用の格別な取付構造が不要となり、それだけ製作コストが低減される。
【発明を実施するための最良の形態】
【００２８】  以下、この発明の実施形態について、図面を参照して具体的に説明する。図１はユニットルーム全体、図２はルーム本体の前後端の矩形周枠部に用いるＬ字枠材、図３は同周枠部の分解状態、図４は同周枠部の連結状態とフレーム構造、図５はルーム本体の胴枠材、図６はルーム本体の胴枠材同士の連結部、図７はルーム本体の胴部と前後端の矩形周枠部との連結操作、図８は支持フレームの連結部、図９はルーム本体の胴枠材とＬ字枠材との結合操作、図１０は図９（Ｂ）の仮想線円Ｍ内の拡大図、図１１は二段設置構造における支持フレーム全体の連結構造、図１２は同連結構造の要部、図１３は二段設置構造の前面下部側、図１４はフロントステップの取付状態、図１５はサイドステップの取付状態、図１６はフロントステップ及びサイドステップの端部嵌合構造、図１７はルーム本体の胴部を補強したユニットルーム全体、図１８は胴部補強枠、をそれぞれ示す。【００２９】  図１に示すユニットルームは、上下左右壁Ｗ１〜Ｗ４及び図では隠れた後壁Ｗ５（図７参照）を有する略横長直方体の箱型で、その前面側が出入口Ｇとして開口したルーム本体Ｒと、このルーム本体Ｒに一体化した支持フレームＦとで構成されている。【００３０】  しかして、ルーム本体Ｒの出入口Ｇを形成する正方形の前端周枠部１Ａ及び後端周枠部１Ｂは、同一構成であり、相互に独立した４個のＬ字枠材１０…が連結一体化されてなる。また、両周枠部１Ａ，１Ｂ間の胴部２は、縦横幅に対して長さが略２倍の角筒状をなし、両周枠部１Ａ，１Ｂの各Ｌ字枠材１０に対応した縦断面Ｌ字形の胴枠材２０が前後４個ずつの計８個で各々角筒の各稜部をなすように組み付けられてなる。【００３１】  前後端の周枠部１Ａ，１Ｂを構成する各Ｌ字枠材１０は、図２（Ａ）〜（Ｃ）で示すように、角部１０ａの表面側に三角形の浅い凹所１１が形成され、この凹所１１に表裏方向（前後方向）に透通する軸受孔１２を有すると共に、該軸受孔１２のボス部をなす内輪部１３ａと、同心の外輪部１３ｂと、内外輪間を放射状に結ぶ補強リブ１３ｃ…と、外輪部１３ｂから凹所１１の境界部に延びる３本の補強リブ１３ｄとが形成されている。一方、該角部１０ａより互いに直角に延出する両側片部１０ｂ，１０ｂには、その延出方向に沿って表面側及び外周面側に臨む凹陥部１３が形成され、各凹陥部１３に臨む縦壁部１４ａにねじ挿通孔１５，１５が穿設されている。【００３２】  また、Ｌ字枠材１０には、各側片部１０ｂの基部側で凹陥部１３に連続して且つ表面側のみに臨む凹溝部１３ａが設けてあり、この凹溝部１３ａの底壁部１４ｂとこれに対向する外周壁１４ｃとに、軸受孔１２の中心線と直交する中心線のロッド挿通孔１６ａ，１６ｂが開設されている。更に、Ｌ字枠材１０の内周縁から両端縁にわたり、裏面側へ突出する突縁部１４ｄを有し、この突縁部１４ｄの端縁が外周壁１４ｃの裏面側端縁に同レベルで繋がっている。【００３３】  前後端の周枠部１Ａ，１Ｂを組み立てるには、図３に示すように、同一構成の４個のＬ字枠材１０…を各々の角部１０ａが正方形の上下左右の角部に位置するように配置し、各Ｌ字枠材１０の角部１０ａの内側に略八角形の連結駒３１を嵌合させると共に、上下及び左右に隣接するＬ字枠材１０，１０同士の各凹溝部１３ａのロッド挿通孔１６ａに、ロッド部材３２の互いに逆ねじとなる雄ねじ部３２ａ，３２ａを備えた両端部の一方を挿通し、その両端部の雄ねじ部３２ａ，３２ａを逆ねじによって両側の連結駒３１，３１のねじ孔３１ａに同時に螺合して締め付けることにより、隣接するＬ字枠材１０，１０同士を引き付けて固定し、図４（Ａ）で示すように全体を正方形に連結一体化する。【００３４】  かくして正方形に連結一体化した前後端の周枠部１Ａ，１Ｂでは、図４（Ｂ）で示すように、左右上下の各角部に配置する４個の連結駒３１…と、これら連結駒３１…を介して相互に連結した上下左右の４本のロッド部材３２…とで、支持フレームＦの当該周枠部１Ａ，１Ｂに沿った矩形フレーム部３が構成されている。そして、この矩形フレーム部３は、図１及び図４（Ａ）に示すように、周枠部１Ａ，１Ｂの上下及ひ左右に隣接するＬ字枠材１０，１０同士で連続した凹陥部１３，１３において、ロッド部材３２の中間部分が外側に露呈している。【００３５】  なお、連結駒３１は、図８（Ａ）（Ｂ）の拡大断面で示すように、外形八角形の中央に太径の中心孔３０を有すると共に、該中心孔３０から外周面へ至る各９０度の位相差の３方向のねじ孔３１ａを有しており、中心孔３０においてＬ字枠材１０のねじ挿通孔１２の内側ボス部１２ａに外嵌すると共に、内向き２方向のねじ孔３１ａ，３１ａに縦横の周枠ロッド部材３２，３２の雄ねじ部３２ａ，３２ａが螺合している。【００３６】  ルーム本体Ｒの胴部２を構成する各胴枠材２０は、図５（Ａ）（Ｂ）に示すように、略９０度に曲折した外殻板部２１の一端側に、その端縁全長に沿って内向きに張出した縁板部２２が一体形成されると共に、外殻板部２１の他端側近傍における曲折部の外面側に、前後方向に透通するロッド挿通孔２３を有するブラケット部２４が突設されてなる。そして、縁板部２２には、Ｌ字枠材１０の両側片部１０ｂ，１０ｂのねじ挿通孔１５…に対応したねじ挿通孔２５…が形成され、また該縁板部２２の外面側には、各ねじ挿通孔２５の十字補強リブ付きボス部２５ａ…と、内周縁に沿った二重の係合リブ２６ａと、両端縁に沿った一条の係合リブ２６ｂとが突設されている。更に、外殻板部２１の一側の側端縁に全長に渡って外側に臨む帯状の凹段部２７ａが、他側の側端縁に全長に渡って内側に臨む帯状の凹段部２７ｂがそれぞれ形成されると共に、縁板部２２の両端縁の一方に沿って外側に臨む帯状の凹段部２８ａが、他方に沿って内側に臨む帯状の凹段部２８ｂがそれぞれ形成されている。【００３７】  胴部２を組み立てるには、まず上下及び左右に隣接する４個の胴枠材２０…を、端縁部同士で接着して角筒状に結合一体化し、もって該胴部２の前半体２ａと後半体２ｂ（図７参照）をそれぞれ作製する。このとき、隣接する胴枠材２０，２０同士は、図６（Ａ）（Ｂ）で示すように、一方の外殻板部２１及び縁板部２２の外向きの凹段部２７ａ，２８ａと、他方の外殻板部２１及び縁板部２２の内向きの凹段部２７ｂ，２８ｂとを相互に重ね合わせ、これら重ね合わせ部分で接着剤を介して接合一体化する。この接合により、縁板部２２の両端縁では、図６（Ｂ）で示すように、両側の一���の係合リブ２６ｂ，２６ｂ同士が二重突縁状に接近して配置することになる。【００３８】  作製した胴部２の前半体２ａと後半体２ｂは、ルーム本体Ｒの組み立てに際し、図７に示すように、縁板部２２とは反対側の端部同士で対接させ、その左右上下位置において、それぞれ対向する両半体２ａ，２ｂのブラケット部２４，２４のロッド挿通孔２３，２３ａに、支持フレームＦとして両端に雄ねじ部４ａを設けた前後連結ロッド４を連通して配置させる。なお、胴部２の前半体２ａと後半体２ｂとは予め突き合わせ端面で接着一体化していてもよい。また、後半体２ｂ側では、後端周枠部１Ｂの内側開口部を封鎖して後壁Ｗ５とするために、後半体２ｂの内側に後端パネル２９を配置しており、この後端パネル２９の中央側の正方形膨出部２９ａが外側（後方）へ突出している。【００３９】  ルーム本体Ｒを組み立てるには、図７に示すように、まず胴部２の前後両端に、左右上下の前後連結ロッド４…を介して、前端周枠部１Ａと後端周枠部１Ｂをそれぞれ一体的に連結する。この連結操作は、胴部２のブラケット２４，２４に挿通させた各前後連結ロッド４の端部を、図８（Ｂ）で拡大して示すように、Ｌ字枠材１０の内側に嵌装した連結駒３１の中心孔３０を貫通して、該Ｌ字枠材１０の軸受孔１２に挿通し、この軸受孔１２から外側へ突出した該連結ロッド４の雄ねじ部４ａに、外側から化粧袋ナット５を螺合緊締し、もって胴部２を間に挟んだ形で前後端の周枠部１Ａ，１Ｂを引き付けて固定すればよい。【００４０】  かくして前後連結ロッド４…を介して連結後、前後端の周枠部１Ａ，１Ｂと胴部２とを更に直接にねじ止めする。このねじ止めは、図９（Ａ）の如く周枠部１Ａ，１Ｂ側のねじ挿通孔１５…に予めボルト１７ａ…を外側から挿入しておき、該周枠部１Ａ，１Ｂを胴部２の前端に突き合わせる際に、これらボルト１７ａ…を胴部２側のねじ挿通孔２５…に挿通させ、内側に突出した各ボルト１７ａの先端側に、図９（Ｂ）の如くワッシャ１８を介して袋ナット１７ｂを螺合緊締するが、隣接するＬ字枠材１０，１０同士ならびに胴枠材２０，２０同士の連接強度を高めるために、該ねじ止め部分に補強材を介在させる。すなわち、前端周枠部１Ａ側では、その上下左右の各位置において、隣接枠材間にわたる帯状の金属補強板６を胴部２の内側に配し、各ボルト１７ａを該金属補強板６に設けた各ねじ挿通孔６ａに挿通した上で、袋ナット１７ｂを螺合緊締する。また、図示を省略した後端周枠部１Ｂ側では、金属補強板６の代わりに、胴部２の内側に後端パネル２９（図７参照）の周辺縁部を配置させ、該周辺縁部に設けたねじ挿通孔に各ボルト１７ａを挿通して袋ナット１７ｂを螺合緊締すればよい。【００４１】  なお、周枠部１Ａ，１Ｂと胴部２との接合において、各Ｌ字枠材１０の内周縁に沿う突縁部１４ｄが、各胴枠材２０の縁板部２２の内周縁に沿う二重の係合リブ２６ａの間に嵌入することにより、両者が位置決めされる。しかして、隣接するＬ字枠材１０，１０間では端縁に沿う突縁部１４ｄ，１４ａ同士が合接するが、図１０で示すように、その合接部分は隣接する胴枠材２０，２０同士で二重突縁状に接近した係合リブ２６ｂ，２６ｂ間に嵌入する。【００４２】  上記構成のユニットルームでは、ルーム本体Ｒの前後端の周枠部１Ａ，１Ｂに、支持フレームＦの前後の矩形フレーム部３，３がインナーフレームとして貫通配置すると共に、両矩形フレーム部３，３の上下左右の角部同士を連結する４本の前後連結フレーム４…もルーム本体Ｒの胴部の一部を貫通し、もって該ルーム本体Ｒと支持フレームＦが一体化しているから、両者を別個に組み立てる必要がなく、しかも組み立て操作自体が両者を組み付けて一体化してゆくことになるから、当該ユニットルーム全体の組立構築を容易に能率よく短時間で行える。【００４３】  特に、支持フレームＦの各矩形フレーム部３は、その四つ角部に配置する連結駒３１…と、各々逆ねじの両端雄ねじ部３２ａ，３２ａを有する上下左右のロッド部材３２…とで構成されるから、各ロッド部材３２を一方向に捻回操作するだけで、その両端部を両側の連結駒３１，３１に対して同時に螺合緊締でき、もって当該矩形フレーム部３を簡単に能率よく形成できる。また、各連結駒３１の中心孔３０に、各前後連結ロッド４の端部を挿嵌させ、その連結駒３１と、該連結駒３１から突出した前後連結ロッド４の雄ねじ部４ａに螺着する袋ナット５との間で、ルーム本体Ｒの周枠部１Ａ，１Ｂを挟持することから、矩形フレーム部３に対する前後連結ロッド４の連結と、周枠部１Ａ，１Ｂに対する該矩形フレーム部３の一体化が同時になされ、それだけ組み立てを容易に能率よく行える。【００４４】  また、上記実施形態では、ルーム本体Ｒの前後端の周枠部１Ａ，１Ｂと胴部２とが別体であり、更に周枠部１Ａ，１Ｂが上下左右のＬ字枠材１０…に分割構成されると共に、胴部２も前半体２ａ及び後半体２ｂが各４個の胴枠材２０…に分割構成され、これら構成部材の個々が小サイズになる上、全てのＬ字枠材１０…と全ての胴枠材２０…が共に同一構成であるため、これら構成部材の成形製作が非常に容易になり、小型の成形装置によって低コストで量産でき、例えばこれら構成部材を高強度のＣＦＲＰ（炭素繊維強化プラスチック）製とする場合のコスト負担を格段に少なくできる。【００４５】  更に、周枠部１Ａ，１Ｂを構成するＬ字枠材１０…と胴部２を構成する胴枠材２０…が各々同一構成であるから、各構成部材毎の使用位置が制約されず、同じ構成部材を上下左右及び前後のどの位置にも使用できる上、部材同士の組み付け形態も上下左右で同じになるから、作業操作が極めて簡単になり、熟練を要することなく短時間で非常に能率よく組み立てを行える。しかも、各Ｌ字枠材１０の角部１０ａに矩形フレーム３の連結駒３１が嵌着されているから、該矩形フレーム３の形成に際して各ロッド部材３２の両端の雄ねじ部３２ａ，３２ａを両側の連結駒３１，３１に螺合して締め付ければ、同時に隣接するＬ字枠材１０，１０同士が引き付けられて連結固定される。【００４６】  一方、このユニットルームは、ルーム本体Ｒが支持フレームＦと一体化して頑丈であるため、そのまま設置場所に据え付けることができると共に、耐久性に優れ、運搬等の取扱い性も良好である。しかして、このようなユニットルームを上下二段に設置する場合は、図１１に示すように、上下位のユニットルームのルーム本体Ｒ２，Ｒ１同士が離間した状態で、支持フレー���Ｆ２，Ｆ１同士を上下に連結すればよい。これにより、上位側のユニットルームの重量が下位側の支持フレームＦ１で支承され、下位側のルーム本体Ｒ１には上位側からの重量負荷が加わらないから、ルーム本体Ｒ１が格別に頑強な構造・材質でなくとも良好な耐久性が得られ、それだけ製作コストを低減できることになる。【００４７】  図１１に示す二段設置構造では、上下位のユニットルームの支持フレームＦ２，Ｆ１同士は、互いに前後の矩形フレーム部３，３における左右のロッド部材３２…の位置で、高さ調整用のジャッキーボルト７を介して縦一直線に連結されている。そして、下位のユニットルームも、ルーム本体Ｒ１が床面ＧＬから浮き離れた状態で、同じく支持フレームＦ１の前後の矩形フレーム部３，３における左右のロッド部材３２…の位置で、ジャッキーボルト７を介して接地アンカー８に連結されている。従って、二段に積み重なったユニットルームは、言わば前後左右のコーナー位置の４本の支柱で支えられた形であり、両ユニットルームの重量が直接に設置床部に負荷され、該重量負荷による支持フレームＦ１，Ｆ２の歪みや撓みが防止され、安定した設置状態が得られる。【００４８】  図１２に上記二段設置構造における支持フレームＦ１，Ｆ２の連結部の詳細に示す。なお、この図では、図示スペースの都合から、下位のユニットルーム側の支持フレームＦ１について、矩形フレーム部３の上下２個の連結駒３１，３１を１個で表している。図示のように、ジャッキーボルト７は、頭部７１ａに円形凹所７１ｂを有する受けボルト７１と、この受けボルト７１の円形凹所７１ｂに嵌入し得る六角長頭部７２ａを有する突子ボルト７２と、受けボルト７１の頭部７１ａに側方から螺挿したセットねじ７３とで構成されており、両ボルト７１，７２が頭部７１ａ，７２ａの嵌合状態で相対回転可能であるが、セットねじ７３を締め付けてその先端を突子ボルト７２の六角長頭部７２ａに押接することで相対回転不能となる。そして、上下のユニットルーム間では、下位の支持フレームＦ１における連結駒３１の上向きのねじ孔３１ａに螺入した受けボルト７１に、上位の支持フレームＦ２における連結駒３１の下向きのねじ孔３１ａに螺入した突子ボルト７２を嵌入している。また、下位のユニットルームと接地アンカー８間では、支持フレームＦ１における連結駒３１の下向きのねじ孔３１ａに螺入した受けボルト７１を、接地アンカー８の固着ナット８ａに螺挿した突子ボルト７２の六角長頭部７２ａに外嵌している。７４は緩み止め用のロックナットである。【００４９】  従って、この連結構造においては、各ジャッキーボルト７の受けボルト７１と突子ボルト７２との嵌合部に上位側の重量が負荷した状態で、両ボルト７１，７２を各々スパナ等で捻回して突出量を個別に調整でき、その調整後に側方からセットねじ７３を締め付けることで調整位置を固定できる。従って、両ユニットルームの二段の据え付け後に、設置床面の傾斜や凹凸等に影響されずに，両ユニットルームの床面を水平に設定できると共に、両ユニットルームのルーム本体Ｒ１，Ｒ２間の間隔、ならびに下位側のルーム本体Ｒ１の設置床面からの高さも調整できる。また、この場合、両ユニットルームの支持フレー���Ｆ１，Ｆ２及び接地アンカー８の各々に、予めジャッキーボルト７の受けボルト７１又は突子ボルト７２を螺着しておくことにより、両ボルト７１，７２の嵌合を利用して、接地アンカー８上に両ユニットルームを位置決めしつつ順次載せてゆく形で、非常に簡単に二段設置構造を構築できる。【００５０】  一方、二段設置構造では、上位側のユニットルームに対する登り降りを行うために、サイドステップ、フロントステップ、手摺り等の付属部材を取り付けるのが一般的である。この点、本実施形態のユニットルームでは、ルーム本体Ｒの周枠部１Ａ，１Ｂにおいて、上下及び左右に隣接するＬ字枠材１０，１０同士で連続した凹陥部１３，１３に、ロッド部材３２の中間部分が外側に露呈しているため、特に前端周枠部１Ａで露呈しているロッド部材３２を利用して、例えば図１３に示すようにフロントステップ１８及びサイドステップ１９を外付けで取り付けることができる。また、上位のルーム本体Ｒ２における左右の凹陥部１３，１３に露呈したロッド部材３２は、そのまま手摺りとして機能する。従って、これら付属部材用の格別な取付構造が不要となり、それだけ製作コストが低減される。なお、図１３の例では、上下のルーム本体Ｒ２，Ｒ１の前面下部の凹陥部１３，１３に、ルーム番号を表示するナンバープレート９を嵌装している。【００５１】  フロントステップ１８は、図１４の縦断側面図でも示すように、硬質合成樹脂成形物からなる中空状の厚板をなし、下位のルーム本体Ｒ１の前面上部の凹陥部１３，１３において、露呈するロッド部材３２に予め嵌装されているカラー３３に、後端側の凹溝部１８ａを外嵌すると共に、該カラー３３に溶接固着されているナット３３ａに、凹溝部１８ａの底壁を貫通して取付ボルト１８ｂを螺着することにより、前方へ水平突出状に取り付けられている。【００５２】  また、サイドステップ１９は、縦長チャンネル枠状の取付基部１９ａの上中下の３ヵ所に矩形の踏板１９ｂが側方突出状に一体形成されており、下位のルーム本体Ｒ１の前面左側の凹陥部１３，１３において、図１５の横断平面図で示すように、露呈するロッド部材３２に予め嵌装されているカラー３３に、取付基部１９ａを外嵌すると共に、該カラー３３に溶接固着されているナット３３ａに、取付基部１９ａを貫通して取付ボルト１９ｃを螺着することにより、踏板１９ｂが前方へ水平に突出した状態に取り付けられている。【００５３】  なお、フロントステップ１８は、図１６（Ａ）に示すように、左右両側の後端側が上下幅を狭めた係合キー部１８ｃ，１８ｃをなし、ルーム本体Ｒ１の上側で連続した凹陥部１３，１３の左右両端にある凹溝部１３ａ，１３ａに、両係合キー部１８ｃ，１８ｃが各々嵌入することにより、ロッド部材３２を中心とした上下方向の回動を生じなくしている。また、サイドステップ１９も同様に、図１６（Ｂ）に示すように、ルーム本体Ｒ１の左側で連続した凹陥部１３，１３の上下両端にある凹溝部１３ａ，１３ａに、取付基部１９ａの角形の上下端部を各々嵌入することにより、ロッド部材３２を中心とした左右方向の回動を防止している。【００５４】  更に、この発明のユニットルームでは、支持フレームＦの前後連結ロッド４…がルーム本体Ｒの胴部２の四隅に沿って配置しているため、これらをルーム本体Ｒの補強やユニットルーム同士の連結等に利用できる。例えは、図１７は、既述の図１で例示したものと同じユニットルームについて、そのルーム本体Ｒの胴部２に補強を施した例を示す。この補強では、胴部２の前半体２ａと後半体２ｂとの境界部を全周にわたって取り巻くように、４本の帯板状の胴部補強枠３４…を装着している。【００５５】  各胴部補強枠３４は、図１８に示すように、直線状の帯板部３４ａの一端側に二股軸通部３４ｂ、他端側に突片状軸通部３４ｃが一体形成され、両軸通部３４ｂ，３４ｃに各々幅方向に貫通するロッド挿通孔３５ａ，３５ｂを有すると共に、両軸通部３４ｂ，３４ｃの裏面側がルーム本体Ｒの胴部２における隅部外面の凸曲面に対応した凹曲面をなすように湾曲している。そして、縦横に隣接配置する当該補強枠３４，３４同士で、一方の二股軸通部３４ｂに他方の突片状軸通部３４ｃを嵌入させることにより、両軸通部３４ｂ，３４ｃのロッド挿通孔３５ａ，３５ｂが連通するように設定されている。【００５６】  しかして、これら胴部補強枠３４…は、ルーム本体Ｒの胴部２に対し、それぞれが上下左右の各位置で前半体２ａと後半体２ｂとの境界部を跨ぐように配置させることにより、相互に隣接する当該補強枠３４，３４同士で嵌合した軸通部３４ｂ，３４ｃが該胴部２の各隅部のブラケット２４，２４間に嵌合し、各嵌合位置て両ブラケット２４，２４のロッド挿通孔２３，２３と両軸通部３４ｂ，３４ｃのロッド挿通孔３５ａ，３５ｂとが前後方向に連通する。従って、胴部２の各隅部において、これら連通したロッド挿通孔２３，２３，３５ａ，３５ｂに前後連結ロッド４を挿通することにより、図１７に示すように、各胴部補強枠３４は両端部が各々前後連結ロッド４，４に保持された状態で裏面側を胴部２に接当する。【００５７】  かくして胴部２の前半体２ａと後半体２ｂとの境界部に胴部補強枠３４…を装着することにより、ルーム本体Ｒは、耐荷重強度が大きく向上するから、入室者の体重等で胴部枠体２０…同士の接合部が開いたり、歪みや撓み変形を生じる懸念がない。また、このような補強によれば、胴部枠体２０…同士の接合部について、既述の実施形態のような接着剤による接着を省略することも可能となる。なお、図１７では胴部補強枠３４…を胴部２の全周に装着した構成を例示したが、耐荷重強度を確保する上で少なくとも胴部２の下面側を胴部補強枠３４にて支承する構成とすればよい。【００５８】  また、既述の二段設置構造を含めてユニットルームを横並びに設置する際、隣接するユニットルーム間で相互の左右の前後連結ロッド４，４同士が近接して平行配置するから、これら前後連結ロッド４，４同士を圧嵌式連結具、パイプ用二連クランプ、跨嵌枠、フック、針金、ロープ等の適当な連結手段で繋ぎ留めることにより、簡単に設置状態でのガタツキを防止できる。【００５９】  なお、この発明では、ルーム本体Ｒの前後端の矩形周枠部１Ａ，１Ｂは一体の成形物にて構成してもよいが、既述の実施形態のように矩形の角部毎に独立したＬ字枠材１０を用いる構成とすれば、これらＬ字枠材１０，１０間に単純形態の中間部材を介在させることにより、ルー��本体Ｒを多様な形態及びサイズに容易に設定できるという利点がある。また、ルーム本体Ｒの胴部２においては、内部の壁面にテレビやビデオの如き映像ユニット、時計、ラジオ、照明設備、換気扇、温度センサー、警報機、スイッチ類等、様々な機能要素を付設することが普通であるため、これらの付設のために胴部枠材２０として部位によって異なる構成のものを用いてもよいし、これら機能要素の付設等に対応して例えば上下左右壁Ｗ１〜Ｗ４毎に分離したパネルや、上下左右壁Ｗ１〜Ｗ４の各々を更に前後方向に複数分割した帯状パネル等に分割構成してもよい。【００６０】  この発明のユニットルームは、既述のカプセルベッドの他、船舶用の簡易船室、病院や事務所における職員用の休憩・仮眠室、災害時等に一時的に利用する可搬式ルーム、宇宙ステーションや海中基地における居住室、高山や極地での宿泊・避難施設等、極めて多岐にわたる用途に好適に供し得る。従って、各構成部材の材質についても、ＦＲＰ以外の種々の樹脂材料、紙材を含む各種繊維材料、金属材料、セラミック、木材、これらの積層・ラミネート材等、用途に応じて適宜選択できる。
【図面の簡単な説明】
【００６１】
【図１】  この発明の一実施形態に係るユニットルーム全体の斜視図である。
【図２】  同ユニットルームに用いるＬ字枠材を示し、（Ａ）は正面図、（Ｂ）は側面図、（Ｃ）は（Ａ）のＣ−Ｃ線の断面矢視図である。
【図３】  同ユニットルームにおける前後端の周枠部の分解斜視図である。
【図４】  同周枠部の連結状態を示し、（Ａ）は周枠部の正面図、（Ｂ）はフレーム構造の正面図である。
【図５】  同ユニットルームに用いる胴部枠材を示し、（Ａ）は正面図、（Ｂ）は側面図である。
【図６】  同ユニットルームにおける胴部枠材同士の連結状態を示し、（Ａ）は外殻板部における連結部分の縦断面図、（Ｂ）は縁板部における連結部分の横断面図である。
【図７】  同ユニットルームのルーム胴部と前後端の周枠部との連結操作を示す平面図である。
【図８】  同周枠部における連結ロッド及び前後連結ロッドの連結部を示し、（Ａ）は縦断正面図、（Ｂ）は（Ａ）のＢ−Ｂ線の断面矢視図である。
【図９】  同ユニットルームにおける胴部枠材とＬ字枠材との結合操作を示し、（Ａ）は結合前の横断平面図、（Ｂ）は結合後の横断平面図である。
【図１０】  図９（Ｂ）の仮想線縁Ｍ内の拡大図である。
【図１１】  この発明に係るユニットルームの二段設置構造における支持フレーム全体の連結構造を示す正面図である。
【図１２】  同連結構造の要部を拡大して示す正面図である。
【図１３】  同二段設置構造の前面下部側の正面図である。
【図１４】  図１３におけるＸ−Ｘ線の断面矢視図である。
【図１５】  図１３におけるＹ−Ｙ線の断面矢視図である。
【図１６】  同二段設置構造におけるフロントステップ及びサイドステップの端部嵌合構造を示し、（Ａ）はフロントステップ取付部の縦断側面図、（Ｂ）はサイドステップ取付部の横断平面図である。
【図１７】  ルーム本体の胴部を補強したユニットルーム全体の斜視図である。
【図１８】  胴部補強枠とその嵌合形態を示す斜視図である。
【符号の説明】
【００６２】１Ａ・・・・・前端周枠部
１Ｂ・・・・・後端周枠部
１０・・・・・Ｌ字枠材
１０ａ・・・・角部
１３・・・・・凹陥部
１８・・・・・フロントステップ（外付けの付属部材）
１９・・・・・サイドステップ（外付けの付属部材）
２・・・・・・胴部
２０・・・・・胴部枠材
２９・・・・・後端パネル
３・・・・・・矩形フレーム部
３０・・・・・中心孔（ロッド挿通部）
３１・・・・・連結駒
３１ａ・・・・ねじ孔
３２・・・・・ロッド部材
３２ａ・・・・雄ねじ部
３４・・・・・胴部補強枠
３４ｂ・・・・二股軸通部（端部）
３４ｃ・・・・突片状軸通部（端部）
４ａ・・・・・雄ねじ部
５・・・・・・化粧袋ナット（ねじ部材）
７・・・・・・ジャッキーボルト（高さ調整手段）
８・・・・・・接地アンカー
Ｆ・・・・・・支持フレーム
Ｆ１・・・・・下位の支持フレーム
Ｆ２・・・・・上位の支持フレーム
Ｇ・・・・・・出入口
Ｒ・・・・・・ルーム本体
Ｒ１・・・・・下位のルーム本体
Ｒ２・・・・・上位のルーム本体
Ｗ１・・・・・上壁
Ｗ２・・・・・下壁
Ｗ３・・・・・左壁
Ｗ４・・・・・右壁
Ｗ５・・・・・後壁
【図１】
0005131536.tif 000002
【図２】
0005131536.tif 000003
【図３】
0005131536.tif 000004
【図４】
0005131536.tif 000005
【図５】
0005131536.tif 000006
【図６】
0005131536.tif 000007
【図１０】
0005131536.tif 000008
【図７】
0005131536.tif 000009
【図８】
0005131536.tif 000010
【図９】
0005131536.tif 000011
【図１１】
0005131536.tif 000012
【図１２】
0005131536.tif 000013
【図１３】
0005131536.tif 000014
【図１４】
0005131536.tif 000015
【図１５】
0005131536.tif 000016
【図１６】
0005131536.tif 000017
【図１８】
0005131536.tif 000018
【図１７】
0005131536.tif 000019